(57)【要約】【課題】帳票を発行することなく確実にＩＣチップに電子マネーを入金することのできる電子マネー入金機を提供する。【解決手段】自己の利用者ＩＤを記憶するＩＣカード２００に電子マネーを入金する電子マネー入金機１００において、ＩＣカード２００から識別情報を読み取るリーダライタ１１０と、電子マネーに交換可能であって所定のＩＣチップに与えられるギフトデータを記憶するギフト管理サーバ５００とネットワーク３００を介して通信する通信装置１６０と、所定の電子マネーに交換可能であってリーダライタ１１０により利用者ＩＤを読み取ったＩＣカード２００に与えられるギフトデータを、通信装置１６０によってギフト管理サーバ５００に記憶させる制御部１８０とを備えた。【選択図】図３
2007257353.tif 000002
【特許請求の範囲】
【請求項１】
自己の識別情報を記憶するＩＣチップに電子マネーを入金する電子マネー入金機において、
ＩＣチップから識別情報を読み取る読取手段と、
電子マネーに交換可能であって所定のＩＣチップに与えられるギフト情報を記憶するギフト管理サーバとネットワークを介して通信する通信手段と、
所定の電子マネーに交換可能であって読取手段により識別情報を読み取ったＩＣチップに与えられるギフト情報を、通信手段によってギフト管理サーバに記憶させる制御手段とを備えた
ことを特徴とする電子マネー入金機。
【請求項２】
投入された貨幣を識別する貨幣識別手段と、
投入された貨幣の詰まりを検知する詰まり検知手段とを備え、
制御手段を、貨幣識別手段により貨幣を識別した後、詰まり検知手段により貨幣の詰まりを検知したときに、識別した貨幣に相当する電子マネーに交換可能であって読取手段により識別情報を読み取ったＩＣチップに与えられるギフト情報を、通信手段によってギフト管理サーバに記憶させるように構成した
ことを特徴とする請求項１に記載の電子マネー入金機。
【請求項３】
投入された貨幣を識別する貨幣識別手段と、
投入された貨幣の詰まりを検知する詰まり検知手段と、
所定の情報を記憶する記憶手段とを備え、
貨幣識別手段により貨幣を識別する前に、詰まり検知手段により貨幣の詰まりを検知したとき、貨幣の詰まりを検知した日時と読取手段により読み取った識別情報とを記憶手段によって記憶するように構成した
ことを特徴とする請求項１に電子マネー入金機。
【請求項４】
前記読取手段により読み取った識別情報に基づいて、ギフト管理サーバに記憶されているギフト情報を通信手段によって取得するギフト情報取得手段と、
所定の電子マネーを送信してＩＣチップに書き込む書込手段とを備え、
制御手段によりギフト管理サーバにギフト情報を記憶させた後に、ギフト情報取得手段により取得したギフト情報に相当する電子マネーを、書込手段によってＩＣチップに書き込むように構成した
ことを特徴とする請求項１乃至３の何れかに記載の電子マネー入金機。
【請求項５】
所定の電子マネーを送信してＩＣチップに書き込む書込手段と、
書込手段における書込不能状態を検出する書込不能検出手段とを備え、
制御手段を、書込手段によって電子マネーをＩＣチップに書き込む際に書込不能検出手段により書込不能状態を検出したとき、前記電子マネーに交換可能であって読取手段により識別情報を読み取ったＩＣチップに与えられるギフト情報を、通信手段によってギフト管理サーバに記憶させるように構成した
ことを特徴とする請求項１乃至３の何れかに記載の電子マネー入金機。
【発明の詳細な説明】
【技術分野】
【０００１】
本発明は、例えば電子乗車券や電子決済等に用いられる電子マネーを、自己の識別情報を記憶するＩＣチップに入金する電子マネー入金機に関するものである。
【背景技術】
【０００２】
従来、この種の電子マネー入金機として、投入された貨幣を識別する識別部と、識別した貨幣を収容する収容部と、ＩＣチップを搭載した非接触ＩＤカードに電子マネーを入金するリーダライタと、識別部から収容部に至る搬送経路に貨幣が詰まった場合に取引状態を記載した帳票を発行するプリンタを備えるようにしたものが知られている（例えば特許文献１参照）。
【特許文献１】特開２００５−２８４３５８号公報
【発明の開示】
【発明が解決しようとする課題】
【０００３】
しかしながら、従来の電子マネー入金機では、貨幣が詰まった場合、操作員が電子マネー入金機に到着したときに帳票を発行して、詰まった貨幣を利用者に返金するか、又は金庫に収容するかを判断するようにしているが、貨幣の返却には操作員が必要であり、操作員が不在のときには利用者に貨幣を返金することができないという問題点があった。
【０００４】
また、貨幣が詰まったときに直ちに帳票を発行する場合であっても、後日返金するときまでに、利用者が受領した帳票を紛失したり、破損、汚損等により帳票が識別不能のときには返金ができない場合があった。
【０００５】
さらに、貨幣が詰まっていない場合でも、故障等によりリーダライタが電子マネーを入金することができないときには、帳票を発行するしかなかった。
【０００６】
本発明は前記問題点に鑑みてなされたものであり、その目的とするところは、帳票を発行することなく確実にＩＣチップに電子マネーを入金することのできる電子マネー入金機を提供することにある。
【課題を解決するための手段】
【０００７】
本発明は前記目的を達成するために、自己の識別情報を記憶するＩＣチップに電子マネーを入金する電子マネー入金機において、ＩＣチップから識別情報を読み取る読取手段と電子マネーに交換可能であって所定のＩＣチップに与えられるギフト情報を記憶するギフト管理サーバと、ネットワークを介して通信する通信手段と、所定の電子マネーに交換可能であって読取手段により識別情報を読み取ったＩＣチップに与えられるギフト情報を、通信手段によってギフト管理サーバに記憶させる制御手段とを備えた電子マネー入金機を提案する。
【０００８】
この電子マネー入金機によれば、所定の電子マネーに交換可能であって読み取ったＩＣチップに与えられるギフト情報がギフト管理サーバに記憶されるので、ギフト管理サーバに記憶されているギフト情報を取得することで、当該ギフト情報に相当する電子マネーを入金することが可能となる。
【発明の効果】
【０００９】
本発明によれば、ギフト管理サーバに記憶されているギフト情報を取得することで、当該ギフト情報に相当する電子マネーを入金することができるので、ギフト情報による電子マネーを入金可能な電子マネー入金機によって当該電子マネーを入金することができ、例えば貨幣の詰まりが発生したり入金不能状態になったりするときでも、従来のように帳票を発行したり後で入金できなくなったりするのを防止し、確実にＩＣチップに電子マネーを入金することができる。
【発明を実施するための最良の形態】
【００１０】
図１乃至図１２は本発明の第１の実施形態を示すもので、図１は電子マネー入金機の外観斜視図、図２はＩＣカードの機能構成図、図３は図１に示した電子マネー入金機の制御系構成を示すブロック図、図４は図３に示した入金管理サーバが記憶する入金データを説明する図、図５は図３に示したギフト管理サーバが記憶するギフトデータを説明する図、図６は電子マネー入金機の入金動作を示すフローチャート、図７は入金選択画面を示す図、図８は入金選択画面の他の実施例を示す図、図９は金額選択画面を示す図、図１０は図６に示したギフト入金処理のフローチャート、図１１は図６に示した現金入金処理のフローチャート、図１２は入金選択画面を示す図である。
【００１１】
図１に示すように、電子マネー入金機１００は、その前面の上部に、紙幣が投入される紙幣投入口１０１、硬貨が投入される硬貨投入口１０２、所定の情報を表示する表示部１３０、表示部１３０に表示された情報を選択するための選択ボタン１２１、選択された情報を決定するための決定ボタン１２２、前面を開口したカード載置部１０３、及びカード載置部１０３の下部に設けられたリーダライタ１１０とを備えている。
【００１２】
図２に示すように、カード載置部１０３に載置されるＩＣカード２００には、リーダライタ１１０との間で非接触で信号を送受信するコイル状のアンテナ（図示省略）及びアンテナに接続されたＩＣチップ２０１が埋設されている。
【００１３】
ＩＣチップ２０１には、ＩＣチップ内の回路を制御するＩＣカード制御部２１０及び各種情報を記憶するＩＣカード記憶部２２０とが設けられている。
【００１４】
ＩＣカード記憶部２２０は、ＩＣカード２００を用いたサービス毎に領域が区画されており、電子マネーサービス用領域２２１には、電子マネーサービスを識別するためのサービスＩＤ２２１ａ、サービスの利用者を識別するＩＣチップ２０１に固有の利用者ＩＤ２２１ｂ、及び現時点での電子マネーの残高を表す電子マネー残高２２１ｃが記憶されている。
【００１５】
図３に示すように、電子マネー入金機１００の内部に設けられた制御部１８０には、リーダライタ１１０、入力部１２０、表示部１３０、貨幣識別装置１４０、詰まり検出器１５０、通信装置１６０、及び記憶部１７０が接続されている。
【００１６】
リーダライタ１１０は、カード載置部１０３に載置されたＩＣカード２００との間でコマンド及びデータの送受信を行うためのものであり、ＩＣカード２００との間で非接触で信号を送受信するアンテナ（図示省略）が設けられている。また、リーダライタ１１０は、ＩＣカード２００に対してコマンド及びデータの送受信を行うとともに、制御部１８０に対してコマンド及びデータの入出力を行うようになっている。
【００１７】
入力部１２０は、選択ボタン１２１及び決定ボタン１２２から構成されており、利用者によって選択され、決定される情報を制御部１８０に出力するようになっている。
【００１８】
表示部１３０は周知の液晶ディスプレイ等であり、制御部１８０から入力された所定の情報、例えばＩＣカード２００から受信した電子マネー残高２２１ｃや投紙幣投入口１０１及び硬貨投入口１０２に投入された投入金額等、を表示するようになっている。
【００１９】
貨幣識別装置１４０は、紙幣投入口１０１に投入された紙幣及び硬貨投入口１０２に投入された硬貨の正当性並びに種類を識別するためのものであり、投入貨幣を正当であると識別したときに投入貨幣を受容するとともに、制御部１８０に投入金額を出力するようになっている。
【００２０】
詰まり検知器１５０は、紙幣投入口１０１に投入された紙幣及び硬貨投入口１０２に投入された硬貨の詰まりを検知するためのものであり、紙幣投入口１０１及び硬貨投入口１０２から貨幣識別装置１４０に受容されるまでの経路に、複数設けられている。各詰まり検知器１５０は、それぞれ検知結果を制御部１８０に出力するようになっている。
【００２１】
通信装置１６０は、ネットワーク３００を介して外部と接続するためのモデム等の通信機器であり、入金管理サーバ４００及びギフト管理サーバ５００とデータの送受信を行うようになっている。
【００２２】
記憶部１７０は、ＥＥＰＲＯＭ等の書き換え可能な記憶素子であり、後述する処理によって詰まり検知日時１７１及び利用者ＩＤ１７２を記憶するようになっている。
【００２３】
制御部１８０は、電子マネー入金機１００の全体を制御するためのものであり、ＣＰＵ及びＲＡＭ、ＲＯＭ等のメモリを備えた周知のコンピュータから構成されている。また、制御部１８０は自己のメモリに格納されたデータ及びプログラムに基づいて、上記の各機器を制御するようになっている。なお、メモリの書き換え不可の領域には、後述する電子マネー入金機１００に固有の入金機ＩＤ、読取処理コマンド、入金処理コマンド、ギフト取得処理コマンド、ギフト使用処理コマンド、ギフト登録処理コマンド等が格納されているが、これに限定されず、これらのコマンド等を記憶部１７０に記憶しておき、制御部１８０は必要に応じて記憶部１７０から読み込むようにしてもよい。
【００２４】
入金管理サーバ４００は、ネットワーク３００を介して接続する複数の電子マネー入金機１００から送信された入金データを管理するためのサーバであり、図４に示すような、取引日付４０１ａ、入金機ＩＤ４０１ｂ、利用者ＩＤ４０１ｃ、入金額４０１ｄを含む入金データ４０１を複数記憶している。
【００２５】
ギフト管理サーバ５００は、電子マネーに交換可能であって所定のサービス提供者から所定のＩＣチップ２０１に与えられるギフトデータを管理するためのサーバであり、図５に示すような、利用者ＩＤ５０１ａ、ギフト名称５０１ｂ、ギフト額５０１ｃ、有効期限５０１ｄ、使用フラグ５０１ｅを含むギフトデータ５０１を複数記憶している。
【００２６】
電子マネー入金機１００は、電源が投入されると、図６に示す処理を実行するようになっている。
【００２７】
即ち、制御部１８０は、ＩＣカード２００をカード載置部１０３に載置するように案内するメッセージを表示部１３０に表示するとともに（Ｓ１１）、リーダライタ１１０を介して所定の応答要求信号を送信する（Ｓ１２）。そして制御部１８０は、リーダライタ１１０を介してＩＣカード２００から応答信号を受信するまでＳ１１〜Ｓ１３の処理を繰り返す（Ｓ１３）。なお、本実施形態では、応答信号としてＩＣカード２００固有のカードＩＤを用いる。
【００２８】
利用者によってカード載置部１０３にＩＣカード２００が載置され、ＩＣカード２００のＩＣカード制御部２１０がリーダライタ１１０から受信した応答要求信号に対して応答信号を送信すると、制御部１８０は、リーダライタ１１０を介してＩＣカード２００から応答信号を受信し、ＩＣカード２００を検出する（Ｓ１４）。
【００２９】
次に制御部１８０は、ＩＣカード２００との間で利用者ＩＤ読取処理を行う（Ｓ１５）。
【００３０】
即ち、制御部１８０はリーダライタ１１０を介して読取処理コマンドを送信し、ＩＣカード制御部２１０は、受信した読取処理コマンドに対してＩＣカード記憶部２２０のサービスＩＤ２２１ａ、利用者ＩＤ２２１ｂ、及び電子マネー残高２２１ｃを送信する。そして制御部１８０は、リーダライタ１１０を介してこれらを受信する。
【００３１】
次に制御部１８０は、ギフト管理サーバ５００との間でギフトデータ取得処理を行う（Ｓ１６）。
【００３２】
即ち、制御部１８０は、Ｓ１５の処理においてＩＣカード２００から受信した利用者ＩＤ２２１ｂとギフト取得処理コマンドとを通信装置１６０及びネットワーク３００を介してギフト管理サーバ５００に送信し、ギフト管理サーバ５００は、受信したギフト取得処理コマンドに対して記憶する複数のギフトデータ５０１の中から受信した利用者ＩＤ２２１ｂと一致する利用者ＩＤ５０１ａを有するギフトデータ５０１を検索し、該当するギフトデータ５０１が存在すればギフトデータ５０１のギフト名称５０１ｂ、ギフト額５０１ｃ、有効期限５０１ｄを送信する。そして制御部１８０は、ネットワーク３００及び通信装置１６０を介してこれらを受信する。
【００３３】
なお、該当するギフトデータ５０１が複数存在する場合、ギフト管理サーバ５００は該当する全てのギフトデータ５０１のギフト名称５０１ｂ、ギフト額５０１ｃ、有効期限５０１ｄを送信し、該当するギフトデータ５０１が存在しない場合、ギフト管理サーバ５００は利用者ＩＤ２２１ｂを返信する。また、該当するギフトデータ５０１が存在する場合であっても、使用フラグ５０１ｅが「済」のときには、該当するギフトデータ５０１が存在しないときと同様に、ギフト管理サーバ５００は利用者ＩＤ２２１ｂを返信する。
【００３４】
次に制御部１８０は、表示部１３０に入金選択画面１３１を表示する（Ｓ１７）。具体的には図７に示すように、Ｓ１５の処理においてＩＣカード２００から受信した電子マネー残高１３１ａと、現金による入金１３１ｂと、ギフトによる入金、即ちＳ１６の処理においてギフト管理サーバ５００から受信したギフトデータ５０１のギフト名称５０１ｂ、ギフト額５０１ｃ、及び有効期限５０１ｄを有する第１ギフト１３１ｃ並びに第２ギフト１３１ｄとを、表示部１３０に表示する。図において、白抜き文字で表された現金による入金１３１ｂ及び第１ギフト１３１ｃが選択可能になっており、第２ギフト１３１ｄは入金の結果、ＩＣカード２００の上限額（５００００円）を超えるため、入金選択画面１３１に表示されるが選択不能となっている。また、ギフトデータ取得処理Ｓ１６の結果、ギフト管理サーバ５００から利用者ＩＤ２２１ｂが返信された場合、図８に示すように、電子マネー残高１３１ａ及び現金による入金１３１ｂが表示され、現金による入金１３１ｂのみが選択可能となっている。これにより、利用者が現金による入金又はギフト情報による入金を選択する前に、ギフトによる入金の可否を知ることが可能となる。
【００３５】
次に制御部１８０は、利用者が選択ボタン１２１及び決定ボタン１２２を操作することにより、現金による入金１３１ｂが選択され、決定されたか否かを判定する（Ｓ１８）。
【００３６】
現金による入金１３１ｂが選択され、決定されると、制御部１８０は、表示部１３０に金額選択画面１３２を表示する（Ｓ１９）。具体的には図９に示すように、Ｓ１５の処理においてＩＣカード２００から受信した電子マネー残高１３２ａと、現金による入金として第１投入金額１３２ｃ、第２投入金額１３２ｄ、及び第３投入金額１３２ｅとを表示するとともに、投入要求メッセージ１３２ｂを表示部１３０に表示する。図において、白抜き文字で表された第１投入金額１３２ｃが選択可能になっており、第２投入金額１３２ｄ及び第３投入金額１３２ｅは、入金の結果、ＩＣカード２００の上限額（５００００円）を超えるため、入金選択画面１３１に表示されるが選択不能となっている。第１投入金額１３２ｃが選択、決定されると、制御部１８０は、後述する現金入金処理を行う（Ｓ２０）。
【００３７】
次に制御部１８０は、各詰まり検出器１５０から入力される検知結果によって、紙幣投入口１０１又は硬貨投入口１０２から貨幣識別装置１４０に受容されるまでの経路において、貨幣の詰まりを検知しているか否かを判定する（Ｓ２１）。
【００３８】
貨幣の詰まりを検知している場合、以後、現金による入金ができないので電子マネー入金機１００は稼動を停止し（Ｓ２２）、貨幣の詰まりを検知していない場合、制御部１８０は再度Ｓ１１の処理を行う。
【００３９】
本実施形態では、貨幣の詰まりを検知している場合、電子マネー入金機１００は稼動を停止しているが、これに限定されず、ギフトによる入金のみ可能として、電子マネー入金機１００は稼動を継続するようにしてもよい。
【００４０】
また、Ｓ１８の判定の結果、現金による入金１３１ｂが選択されていない場合、利用者が選択ボタン１２１及び決定ボタン１２２を操作することにより、制御部１８０は、ギフトによる入金が選択され、決定されたか否かを判定する（Ｓ２３）。
【００４１】
図７において第１ギフト１３１ｃが選択され、決定されると、制御部１８０はギフト入金処理を行う（Ｓ２４）。
【００４２】
図１０に示すように、ギフト入金処理Ｓ２４を開始すると、制御部１８０は、図７に示す電子マネー残高１３１ａに第１ギフト１３１ｃのギフト額を加算するとともに、ＩＣカード２００との間で第１ギフト１３１ｃのギフト額に相当する電子マネーの入金処理を行う（Ｓ２４１）。
【００４３】
即ち、制御部１８０は、入金処理コマンドをリーダライタ１１０を介してＩＣカード２００に送信する。そして、ＩＣカード２００のＩＣカード制御部２１０は、電子マネー入金機１００から入金処理コマンドを受信すると、入金処理コマンドとともに送信される電子マネーを電子マネー残高２２１ｃに加算する。次に、ＩＣカード制御部２１０は、電子マネー残高２２１ｃの加算を完了した後に、加算処理の完了を示す入金完了信号を電子マネー入金機１００に送信する。
【００４４】
次に制御部１８０は、入金処理Ｓ２４１の結果、リーダライタ１１０を介して入金完了信号を受信したか否かを判定する（Ｓ２４２）。
【００４５】
入金完了信号を受信して入金処理Ｓ２４１を完了している場合、制御部１８０は、Ｓ１５の処理においてＩＣカード２００から受信した利用者ＩＤ２２１ｂと、利用者によって選択された第１ギフト１３１ｃとに、「済」が入力された使用フラグを付加したギフトデータ５０１及びギフト使用処理コマンドを、通信装置１６０及びネットワーク３００を介してギフト管理サーバ５００に送信し（Ｓ２４３）、ギフト入金処理Ｓ２４を終了する。ギフト管理サーバ５００は、受信したギフト使用処理コマンドに対して該当するギフトデータ５０１の使用フラグ５０１ｅを「済」に変更する。
【００４６】
Ｓ２４２の判定の結果、入金完了信号を受信していない場合、リーダライタ１１０の故障、ＩＣカード２００における入金処理コマンドの未受信、又は電子マネー残高２２１ｃの加算エラー等の入金不能状態と考えられる。この場合、ギフト管理サーバ５００に記憶されるギフトデータ５０１の使用フラグ５０１ｅは「未」の状態のままなので、後で入金不能状態を解消した電子マネー入金機１００や入金不能状態ではない他の電子マネー入金機によって当該ギフトデータ５０１を取得して入金可能であるため、電子マネー入金機１００は稼動を停止する（Ｓ２４２）。
【００４７】
本実施形態では、入金完了信号を受信していない場合、電子マネー入金機１００は稼動を停止しているが、これに限定されず、現金による入金のみ可能として、電子マネー入金機１００の稼動を継続するようにしてもよい。
【００４８】
ギフト入金処理Ｓ２４の終了後、制御部１８０は再度Ｓ１１の処理を行う。
【００４９】
図１１に示すように現金入金処理Ｓ２０を開始すると、制御部１８０は、各詰まり検出器１５０から入力される検知結果によって、紙幣投入口１０１又は硬貨投入口１０２から貨幣識別装置１４０に受容されるまでの経路において、貨幣の詰まりを検知しているか否かを判定する（Ｓ２０１）。
【００５０】
貨幣の詰まりを検知している場合、貨幣識別装置１４０から入力される投入金額によって、投入された貨幣の識別が完了しているか否かを判定する（Ｓ２０２）。
【００５１】
貨幣の識別が完了している場合、貨幣識別装置１４０による貨幣の識別後、受容するまでの経路で貨幣の詰まりを検知しているので、制御部１８０は、Ｓ１５の処理においてＩＣカード２００から受信した利用者ＩＤ２２１ｂと、既に識別している貨幣の投入金額に相当するギフト額とに、「貨幣詰まり」が入力されたギフト名称、「９９９９／９９／９９」（無期限を意味する）が入力された有効期限、及び「未」が入力された使用フラグを付加したギフトデータ５０１を作成し（Ｓ２０３）、ギフト管理サーバ５００との間でギフトデータ登録処理を行う（Ｓ２０４）。
【００５２】
即ち、制御部１８０は、ギフトデータ登録処理コマンドを通信装置１６０及びネットワーク３００を介してギフト管理サーバ５００に送信する。ギフト管理サーバ５００は、受信したギフトデータ登録処理コマンドに対して、ギフトデータ登録処理コマンドとともに受信したギフトデータ５０１を記憶する。これにより、ギフト管理サーバ５００に記憶されているギフトデータ５０１を取得することで、識別した貨幣に相当する電子マネーをＩＣカード２００に入金することが可能となる。
【００５３】
なお、ギフトデータ作成Ｓ２０３からギフトデータ登録処理Ｓ２０４が完了するまでの間、貨幣の詰まりが発生したため、投入金額に相当するギフトデータ５０１を登録している旨のメッセージを表示部１３０に表示するのが望ましい。
【００５４】
次に、制御部１８０は、Ｓ１６の処理と同様にギフト管理サーバ５００との間でギフトデータ取得処理を行い（Ｓ２０５）、Ｓ１７の処理と同様に表示部１３０に入金選択画面１３１を表示する（Ｓ２０６）。
【００５５】
例えば１００円硬貨を３枚投入して３枚目を識別した後に詰まりを検知した場合、図１２に示すように、Ｓ１５の処理においてＩＣカード２００から受信した電子マネー残高１３１ａ、現金による入金１３１ｂ、第１ギフト１３１ｃ、及び第２ギフト１３１ｄに加え、第３ギフト１３１ｅが表示部１３０に表示される。図において、白抜き文字で表された第１ギフト１３１ｃ及び第３ギフト１３１ｅが選択可能になっており、現金による入金１３１ｂは貨幣詰まりのため選択不能となっている。
【００５６】
図において第３ギフト１３１ｅが選択され、決定されると、制御部１８０は、前述のギフト入金処理を行い（Ｓ２４）、現金入金処理Ｓ２０を終了する。これにより、識別した貨幣に相当する電子マネーが直ちに入金される。
【００５７】
また、Ｓ２０２の判定の結果、貨幣の識別が完了していない場合、紙幣投入口１０１又は硬貨投入口１０２から貨幣識別装置１４０による識別前の経路で貨幣の詰まりを検知しているので、制御部１８０は、貨幣の詰まりを検知した詰まり検知日時１７１とＳ１５の処理においてＩＣカード２００から受信した利用者ＩＤ１７２とを記憶部１７０に記憶し（Ｓ２０７）、現金入金処理Ｓ２０を終了する。これにより、後で操作員によって取り除かれる貨幣と既に識別している貨幣とに相当する電子マネーと、詰まり検知日時１７１及び利用者ＩＤ１７２とに基づいてギフトデータ５０１を作成してギフト管理サーバ５００に登録することで、識別前であっても投入された貨幣に相当する電子マネーをＩＣカード２００に入金することが可能となる。
【００５８】
さらに、Ｓ２０１の判定の結果、貨幣の詰まりを検知していない場合、図９に示す第１投入金額１３２ｃに応じた貨幣が硬貨投入口１０２に投入されると、制御部１８０は、表示部１３０に表示する電子マネー残高１３２ａに第１投入金額１３２ｃを加算するとともに、Ｓ２４１の処理と同様にＩＣカード２００との間で第１投入金額１３２ｃに相当する電子マネーの入金処理を行う（Ｓ２０８）。
【００５９】
次に制御部１８０は、リーダライタ１１０を介して入金完了信号を受信したか否かを判定する（Ｓ２０９）。
【００６０】
入金完了信号を受信して入金処理を完了している場合、制御部１８０は、Ｓ１５の処理においてＩＣカード２００から受信した利用者ＩＤ２２１ｂと、Ｓ１９の処理において利用者によって選択され、投入された第１投入金額１３２ｃとに、取引日付及び自己の入金機ＩＤを付加した入金データ４０１を、通信装置１６０及びネットワーク３００を介して入金管理サーバ４００に送信し（Ｓ２１０）、現金入金処理Ｓ２０を終了する。入金管理サーバ４００は、ネットワーク３００を介して入金データ４０１を受信して記憶する。
【００６１】
Ｓ２０９の判定の結果、入金完了信号を受信していない場合、リーダライタ１１０の故障、ＩＣカード２００における入金処理コマンドの未受信、又は電子マネー残高２２１ｃの加算エラー等の入金不能状態と考えられる。この場合、電子マネー入金機１００の稼動を停止する前に（Ｓ２１３）、Ｓ２０３、Ｓ２０４の処理と同様に、ギフトデータ５０１を作成し（Ｓ２１１）、ギフト管理サーバ５００との間でギフトデータ登録処理を行う（Ｓ２１２）。これにより、後で入金不能状態を解消した電子マネー入金機１００や入金不能状態ではない他の電子マネー入金機によってギフト管理サーバ５００に記憶されている当該ギフトデータ５０１を取得することで、入金不能状態であっても識別した貨幣に相当する電子マネーをＩＣカード２００に入金することが可能となる。
【００６２】
本実施形態では、現金による入金及びギフトによる入金が可能な電子マネー入金機１００を用いているが、これに限定されず、現金による入金のみが可能な電子マネー入金機であってもよい。この場合、Ｓ２０４及びＳ２１２の処理によってギフト管理サーバ５００に登録したギフトデータ５０１は、ギフトによる入金が可能な他の電子マネー入金機によって入金することができる。
【００６３】
このように、本実施形態によれば、所定の電子マネーに交換可能であって読み取ったＩＣチップ２０１に与えられるギフトデータ５０１がギフト管理サーバ５００に記憶されるので、ギフト管理サーバ５００に記憶されているギフトデータ５０１を取得することで、当該ギフトデータ５０１に相当する電子マネーを入金することができることから、ギフトによる入金が可能な電子マネー入金機１００によって当該電子マネーを入金することができ、従来のように帳票を発行したり後で入金できなくなったりするのを防止し、確実にＩＣチップ２０１に電子マネーを入金することができる。
【００６４】
また、貨幣識別装置１４０による貨幣の識別後、受容するまでの経路で詰まり検知器１５０が貨幣の詰まりを検知したときに、既に識別している貨幣の投入金額に相当するギフト額を含み、ＩＣチップ２０１に与えられるギフトデータ５０１をギフト管理サーバ５００に記憶させるので、ギフト管理サーバ５００に記憶されているギフトデータ５０１を取得することで、識別した貨幣に相当する電子マネーをＩＣカード２００に入金することができることから、貨幣の識別後に詰まりが発生したときでも、従来のように帳票を発行したり後で入金できなくなったりするのを防止し、確実にＩＣチップ２０１に電子マネーを入金することができる。
【００６５】
さらに、貨幣識別装置１４０による識別前の経路で詰まり検知器１５０が貨幣の詰まりを検知したときに、詰まり検知日時１７１とＩＣカード２００から受信した利用者ＩＤ１７２とを記憶部１７０に記憶しているので、後で操作員によって取り除かれる貨幣と既に識別している貨幣とに相当する電子マネーを含むギフトデータ５０１をギフト管理サーバ５００に登録することで、識別前であっても投入された貨幣に相当する電子マネーをＩＣカード２００に入金することができることから、貨幣の識別前に詰まりが発生したときでも、従来のように帳票を発行したり後で入金できなくなったりするのを防止し、確実にＩＣチップ２０１に電子マネーを入金することができる。
【００６６】
さらに、既に識別している貨幣の投入金額に相当するギフト額を含み、ＩＣチップ２０１に与えられるギフトデータ５０１をギフト管理サーバ５００に記憶させた後に、ギフト管理サーバ５００から取得した当該ギフトデータ５０１をＩＣチップ２０１に入金しているので、識別した貨幣に相当する電子マネーを直ちに入金することができることから、貨幣の識別後に詰まりが発生したときでも、利用者を待たせることなく迅速にＩＣチップ２０１に電子マネーを入金することができる。
【００６７】
さらに、入金不能状態を検出したときに、既に識別している貨幣の投入金額に相当するギフト額を含み、ＩＣチップ２０１に与えられるギフトデータ５０１をギフト管理サーバ５００に記憶させるので、後で入金不能状態を解消した電子マネー入金機１００や入金不能状態ではない他の電子マネー入金機によってギフト管理サーバ５００に記憶されている当該ギフトデータ５０１を取得することで、入金不能状態であっても識別した貨幣に相当する電子マネーをＩＣカード２００に入金することができることから、ＩＣチップ２０１に入金不能状態のときでも、従来のように帳票を発行したり後で入金できなくなったりするのを防止し、確実にＩＣチップ２０１に電子マネーを入金することができる。
【００６８】
なお、本発明の構成及び動作は前述の実施形態のみに限定されるものではなく、本発明の要旨を逸脱しない範囲内において種々変更を加えてもよい。
【図面の簡単な説明】
【００６９】
【図１】電子マネー入金機の外観斜視図
【図２】ＩＣカードの機能構成図
【図３】図１に示した電子マネー入金機の制御系構成を示すブロック図
【図４】図３に示した入金管理サーバが記憶する入金データを説明する図
【図５】図３に示したギフト管理サーバが記憶するギフトデータを説明する図
【図６】電子マネー入金機の入金動作を示すフローチャート
【図７】入金選択画面を示す図
【図８】入金選択画面の他の実施例を示す図
【図９】金額選択画面を示す図
【図１０】図６に示したギフト入金処理のフローチャート
【図１１】図６に示した現金入金処理のフローチャート
【図１２】入金選択画面を示す図
【符号の説明】
【００７０】
１００…電子マネー入金機、１１０…リーダライタ、１４０…貨幣識別装置、１５０…詰まり検知器、１６０…通信装置、１７０…記憶部、１７１…詰まり検知日時、１７２…利用者ＩＤ、１８０…制御部、２０１…ＩＣチップ、２２１ｂ…利用者ＩＤ、３００…ネットワーク、５００…ギフト管理サーバ、５０１…ギフトデータ。
【図１】
2007257353.tif 000003
【図２】
2007257353.tif 000004
【図３】
2007257353.tif 000005
【図４】
2007257353.tif 000006
【図５】
2007257353.tif 000007
【図６】
2007257353.tif 000008
【図７】
2007257353.tif 000009
【図８】
2007257353.tif 000010
【図９】
2007257353.tif 000011
【図１０】
2007257353.tif 000012
【図１１】
2007257353.tif 000013
【図１２】
2007257353.tif 000014